(57)【要約】【課題】  直座礼拝にも直立礼拝にも適した高さに調節可能な仏壇を実現する。【解決手段】  仏壇下台と仏壇本体と調整台を備え、仏壇本体は仏壇下台の上に分離可能に設置でき、仏壇下台は調整台を収容可能なスペースの収容部を備え、調整台は不使用時には前記収容部内に収容可能なサイズであり、下面に仏壇下台と連結可能な下台連結部が、上面に仏壇本体と連結可能な本体連結部を備え、使用時には仏壇下台の上に配置して下台連結部を仏壇下台と連結固定することができ、上面に仏壇本体を設置して本体連結部を仏壇本体と連結固定することができる。【選択図】    図１
2019092908.tif 000002
【特許請求の範囲】
【請求項１】
仏壇下台と仏壇本体と調整台を備え、
仏壇本体は仏壇下台の上に分離可能に設置でき、
仏壇下台は調整台を収容可能なスペースの収容部を備え、
調整台は不使用時には前記収容部内に収容可能なサイズであり、下面に仏壇下台と連結可能な下台連結部が、上面に仏壇本体と連結可能な本体連結部を備え、使用時には仏壇下台の上に配置して下台連結部を仏壇下台と連結固定することができ、上面に仏壇本体を設置して本体連結部を仏壇本体と連結固定することができる、
ことを特徴とする高さ調節可能な仏壇。
【請求項２】
請求項１記載の高さ調節可能な仏壇において、
調整台は収容部内に収容されて、仏壇の付属品又は部品として、仏壇と共に販売されるものである、
ことを特徴とする高さ調節可能な仏壇。
【請求項３】
請求項１又は請求項２記載の高さ調節可能な仏壇において、
調整台の少なくとも正面側が、仏壇下台及び仏壇本体と同種のデザイン、装飾及び色彩である、
ことを特徴とする高さ調節可能な仏壇。
【請求項４】
請求項１から請求項３のいずれか１項に記載の高さ調節可能な仏壇において、
収容部が、仏壇下台の正面手前に引き出し可能な引出し式である、
ことを特徴とする高さ調節可能な仏壇。
【請求項５】
請求項１から請求項３のいずれか１項に記載の高さ調節可能な仏壇において、
仏壇下台の収容部の正面が開閉扉で開閉可能である、
ことを特徴とする高さ調節可能な仏壇。
【請求項６】
請求項１から請求項５のいずれか１項に記載の高さ調節可能な仏壇において、
下台連結部及び本体連結部がボルトをねじ込み可能なネジ孔或いはボルトを差し込み可能な差込み孔である、
ことを特徴とする高さ調節可能な仏壇。
【請求項７】
請求項１から請求項５のいずれか１項に記載の高さ調節可能な仏壇において、
下台連結部及び本体連結部が面ファスナーである、
ことを特徴とする高さ調節可能な仏壇。
【請求項８】
請求項１から請求項７のいずれか１項に記載の高さ調節可能な仏壇において、
サイズの異なる二以上の調整台を備え、サイズの大きな調整台の内部にサイズの小さな調整台を収容可能である、
ことを特徴とする高さ調節可能な仏壇。
【発明の詳細な説明】
【技術分野】
【０００１】
本発明は仏壇本体の高さを調節可能な仏壇に関する。
【背景技術】
【０００２】
一般的な仏壇は、仏壇本体の高さが、正座して礼拝（直座礼拝）するのに適した高さになっている。しかし、今日では礼拝する人の高齢化が進み、足、膝、腰が痛く、膝を折って仏壇の前に座りにくくなっている人が多くなり、立った姿勢で礼拝する（直立礼拝）する人が多くなっている。このため、仏壇本体の引出膳に載せる香呂（香炉）の高さと、礼拝する人の目線の高さにずれが生ずる。このような事情から、近年は、仏壇本体の高さ調節が可能な仏壇が開発されている（特許文献１）。
【先行技術文献】
【特許文献】
【０００３】
【特許文献１】登録実用新案第３２０３１６４号公報
【発明の概要】
【発明が解決しようとする課題】
【０００４】
特許文献１の仏壇は支持台の上に仏壇本体が設置されており、仏壇本体の高さを高くするときは、支持台と仏壇本体の間に中間台を配置するものである。しかし、支持台にも、仏壇本体にも中間台を収納するスペースがないため中間台の収納に難儀する。
【課題を解決するための手段】
【０００５】
本発明の目的は、調節台を使用して、仏壇本体の高さを、直座礼拝にも直立礼拝にも適した高さに調節することができ、調節台を仏壇の付属品或いは仏壇の部品として仏壇とセットで販売することができる高さ調節可能な仏壇を実現することにある。
【０００６】
本発明の高さ調節可能な仏壇は、仏壇下台と、その上に設置される仏壇本体と、仏壇下台と仏壇本体の間に配置固定される調節台とで構成される。調節台は仏壇本体の引出膳の高さを、直座礼拝にも直立礼拝にも合った高さに調節可能なものである。引出膳は香呂を載せるものである。仏壇下台は調節台を出し入れ可能なスペースの収容部を備えている。調節台は下台連結部と本体連結部を備えている。下台連結部は仏壇下台と連結可能であり、本体連結部は仏壇本体と連結可能である。調節台の高さは任意に設計することができるが、仏壇本体の引出膳が直座礼拝に適した高さの仏壇の場合、仏壇下台と仏壇本体の間に配置すると引出膳が直立礼拝に適した高さになるようにするのが望ましい。
【発明の効果】
【０００７】
本発明の高さ調節可能な仏壇は次のような効果がある。
（１）調節台を仏壇下台と仏壇本体の間に配置すると、香呂を載せる引出膳が直立礼拝に適した高さになるので、直立礼拝に適した高さにすれば、座ったり、立ったりする必要がなく、足腰の負担軽減、住宅環境への対応が可能となる。
（２）調節台が仏壇の付属品或いは一部の鋼製品（部品）として、仏壇下台に収容されているため、必要時に仏壇から取り出して高さ調節することができる。
（３）調節台が本体連結部と下台連結部を備えているため、仏壇本体と仏壇下台に連結固定し易く、固定をすれば耐震性もある。
（４）直座礼拝用と直立礼拝用の仏壇を別々に用意する必要がなく、一台で兼用できるため、メーカーの在庫スペースの縮小、販売店の商品展示スペースの縮小が可能となり、在庫負担が軽減される。
【図面の簡単な説明】
【０００８】
【図１】（ａ）は本発明の高さ調節可能な仏壇が直座礼拝に適した高さの場合の説明図、（ｂ）は直立礼拝に適した高さに調節した場合の説明図。
【図２】（ａ）は本発明の高さ調節可能な仏壇における調節台の正面図、（ｂ）は調節台の平面図、（ｃ）は調節台の他の例の平面図。
【発明を実施するための形態】
【０００９】
（実施形態１）
本発明の高さ調節可能な仏壇の一例を、図面を参照して説明する。図１（ａ）の仏壇は仏壇下台１と、その上に載せた仏壇本体２と、調節台３と、調節台３を出し入れできる収容部４を備えている。収容部４は仏壇下台１の下部に設けてある。仏壇下台１とその上に設置されている仏壇本体２とは分離可能である。
【００１０】
仏壇下台１は通常の仏壇の仏壇下台と同様に、仏壇本体２を設置可能な耐荷重を備えており、必要に応じて、引き出し、下台カマチ、上台輪、下台輪、下台上帯、下台下帯等（いずれも図示せず）の一又は二以上を備えたものとすることができる。また、調節台３を出し入れできる収容部４を備えている。収容部４は調節台３を出し入れできる広さのスペースであり、仏壇下台１の下部に設けてある。収容部４は仏壇下台１の正面に引き出し可能な引出し式とか、仏壇下台１の正面で開閉可能な開き戸式等にして、調節台３を仏壇下台１の正面で出し入れし易く、仏壇の体裁が損なわれない装飾、色調にするのが望ましい。収容部４は調節台３を取り出して空になった時は、物入れとして使用することもできる。
【００１１】
仏壇本体２は通常の仏壇の仏壇本体と同様に、香呂５を載せる引出膳６を備えている。引出膳６は仏壇本体２の内部に押込むことも、仏壇本体２の手前に引き出すこともできる。仏壇本体２は必要に応じて、通常の仏壇本体と同様に、紋座、欄間受け、欄間、戸張彫、持ち送り、後板、大戸、障子戸、高欄、上段板、須弥壇、須弥脇彫、中段板、中段彫り、太鼓板、猫戸、太鼓脇彫、障子腰、地板、支輪下等（いずれも図示しない）の一又は二以上を備えたものであってもよい。
【００１２】
調節台３は仏壇の付属品或いは構成部材の一部（部品）であり、仏壇と共に販売される。図２（ａ）〜（ｃ）に示す調節台３は四角形の箱状であり、横幅、奥行幅を仏壇下台１と仏壇本体２の間に収まるサイズにしてある。調節台３の高さは、引出膳６が直座礼拝に適した高さの仏壇の場合、仏壇下台１と仏壇本体２の間に配置すると、引出膳６が直立礼拝に適した高さになるように設計するのが望ましい。調節台３は図１（ｂ）のように仏壇下台１と仏壇本体２の間に配置したとき、仏壇正面から見えるので、調節台３の少なくとも正面は、仏壇下台１と仏壇本体２と同種のデザイン、装飾、色調にして、仏壇下台１と仏壇本体２に馴染み易くするのが望ましい。
【００１３】
調節台３には仏壇下台１と連結可能な下台連結部７と、仏壇本体２と連結可能な本体連結部８を備えている。下台連結部７は仏壇下台１とボルト止め可能なネジ孔或いはボルト９を差し込み可能な差込み孔（図２（ａ）（ｂ））とすることができ、本体連結部８も仏壇本体２とボルト止め可能なネジ孔或いはボルト９を差し込み可能な差込み孔とすることができる。下台連結部７、本体連結部８は面ファスナー（図２（ｃ））、その他の連結具とすることもできる。面ファスナーの場合は調節台３の下面と上面に面ファスナーを貼っておき、下面の面ファスナーを仏壇下台１の上面に貼った面ファスナーと、上面の面ファスナーを仏壇本体の下面に貼った面ファスナーと接合させることにより、調節台３を仏壇下台１と仏壇本体２とを連結固定することができる。
【００１４】
調節台３はサイズの異なる中空状のもの、例えば、大、中、小を用意し、大サイズの調整台３の内側に中サイズの調整台３を重ねて二重にし、更には中サイズの調整台３の内側に小サイズ３の調整台を重ねて三重にして、収容部４の中に収容しておくことができる。この場合、調節する高さに合わせて、大、中、小の調整台３を選択使用可能とすることもできる。調整台３はサイズの異なる二以上の所望数とすることができる。
【００１５】
調整台３は中空にして、中に遺品や小物類、更には、仏壇下台１及び仏壇本体２への連結用ボルト、ナット等を入れておくこともできる。調整台３の正面は透明板にして、内部に収容されている収容物を外部から確認できるようにすることもできる。また、調節台３は外箱（ケース）内に内箱を出し入れ自在とした引き出し式とすることもできる。
【符号の説明】
【００１６】
１  仏壇下台
２  仏壇本体
３  調節台
４  収容部
５  香呂
６  引出膳
７  下台連結部
８  本体連結部
９  ボルト
【図１】
2019092908.tif 000003
【図２】
2019092908.tif 000004